(57)【特許請求の範囲】
【請求項１】
処理ガスで粉体を処理する粉体処理装置であって、
上下方向に螺旋状に延び、粉体が移動するための帯状搬送部を有する粉体搬送路と、
前記粉体搬送路に粉体を供給するための粉体供給部と、
前記粉体搬送路を振動させることにより前記粉体搬送路に供給された粉体を前記帯状搬送部に沿って移動させる振動付与部と、
前記粉体搬送路に供給された粉体が移動中に処理ガスで処理される処理容器と、
処理された粉体を回収する粉体回収部と、
前記帯状搬送部を移動する粉体の高さを規制する少なくとも１つの高さ規制部材とを備え、
前記高さ規制部材は、前記帯状搬送部に対向する下端部を有し、前記下端部と前記帯状搬送部との間に隙間が形成されるように配置される、粉体処理装置。
【請求項２】
前記高さ規制部材における帯状搬送部の螺旋の内側方向の側部は、螺旋の外側方向の側部よりも粉体の移動方向について下流側に位置する、請求項１記載の粉体処理装置。
【請求項３】
前記帯状搬送部における粉体との接触面は、螺旋の内側が螺旋の外側よりも低くなるように傾斜している、請求項１または２記載の粉体処理装置。
【請求項４】
前記粉体搬送路は、
上下方向に螺旋状に延び、粉体が移動するための第１の帯状搬送部を有する第１の搬送路と、
上下方向に螺旋状に延び、粉体が移動するための第２の帯状搬送部を有する第２の搬送路とを含み、
前記第１および第２の帯状搬送部は、一端で互いに接続されるとともに、前記第２の帯状搬送部の螺旋の巻き方向は、前記第１の帯状搬送部の螺旋の巻き方向と逆である、請求項１〜３のいずれか一項に記載の粉体処理装置。
【請求項５】
前記高さ規制部材は、等間隔に複数設けられている、請求項１〜４のいずれか一項に記載の粉体処理装置。
【請求項６】
前記帯状搬送部における粉体との接触面は、金属からなる、請求項１〜５のいずれか一項に記載の粉体処理装置。
【請求項７】
前記処理容器は、処理ガスの導入のためのガス導入部、および処理ガスの排出のためのガス排出部を有する、請求項１〜６のいずれか一項に記載の粉体処理装置。
【請求項８】
処理ガスは、フッ素ガスを含む、請求項１〜７のいずれか一項に記載の粉体処理装置。
【発明の詳細な説明】
【技術分野】
【０００１】
本発明は、処理ガスを用いて粉体を処理する粉体処理装置に関する。
【背景技術】
【０００２】
従来より、フッ素ガス等の処理ガスを用いて粉体の処理が行われる。処理効率を上げるために、処理ガスと粉体とを効率よく接触させることが求められる。特許文献１に記載される炭素ナノ構造体粉末の処理方法では、処理ガス（反応ガス）として例えばフッ化ガスを用いて炭素ナノ構造体粉末の処理が行われる。この場合、反応器の下段部からフィルタを通して反応器内にキャリアガスが供給されることにより、キャリアガスが上方に向かって流れる流動化領域が反応器内に形成される。その状態で、反応器の下段部からフィルタを通して処理ガスが反応器内に供給される。それにより、流動化領域で、炭素ナノ構造体粉末と処理ガスとを接触させることができる。
【先行技術文献】
【特許文献】
【０００３】
【特許文献１】特開２００５−１９８０号公報
【発明の概要】
【発明が解決しようとする課題】
【０００４】
しかしながら、本発明者らは、上記の処理方法では、炭素ナノ構造体粉末の一部がフィルタに固着し、そのフィルタに固着した炭素ナノ構造体粉末と処理ガスとが過剰に反応することを見出した。そのため、上記の処理方法では、炭素ナノ構造体粉末の全体を均一に処理することが難しい。
【０００５】
本発明の目的は、粉体を処理ガスで均一に処理することが可能な粉体処理装置を提供することである。
【課題を解決するための手段】
【０００６】
（１）本発明に係る粉体処理装置は、処理ガスで粉体を処理する粉体処理装置であって、上下方向に螺旋状に延び、粉体が移動するための帯状搬送部を有する粉体搬送路と、粉体搬送路に粉体を供給するための粉体供給部と、粉体搬送路を振動させることにより粉体搬送路に供給された粉体を帯状搬送部に沿って移動させる振動付与部と、粉体搬送路に供給された粉体が移動中に処理ガスで処理される処理容器と、処理された粉体を回収する粉体回収部と、帯状搬送部を移動する粉体の高さを規制する少なくとも１つの高さ規制部材とを備え、高さ規制部材は、帯状搬送部に対向する下端部を有し、下端部と帯状搬送部との間に隙間が形成されるように配置されるものである。
【０００７】
この粉体処理装置においては、粉体搬送路が上下方向に螺旋状に延びる。粉体搬送路は、粉体が移動するための帯状搬送部を有する。粉体が粉体供給部により粉体搬送路に供給される。粉体搬送路が振動付与部により振動されることにより、粉体搬送路に供給された粉体が粉体搬送路に沿って移動される。粉体搬送路内で移動する粉体は、移動中に遠心力により螺旋の外側に偏った状態となる。このような場合でも、高さ規制部材により粉体の高さが規制される。これにより、粉体が偏った状態で固まったまま移動することが防止される。また、高さ規制部材により粉体が撹拌される。したがって、粉体の全体に処理ガスが接触しやすくなる。その結果、粉体を処理ガスで均一に処理することができる。
【０００８】
また、高さ規制部材は、帯状搬送部に対向する下端部を有し、下端部と帯状搬送部との間に隙間が形成されるように配置される。
【０００９】
この場合、粉体搬送路内を移動する粉体は、高さ規制部材の下端部と粉体搬送路の帯状搬送部との間の隙間を通過する。粉体搬送路の帯状搬送部上の粉体が高さ規制部材の下端部よりも高い位置まで盛り上がっている場合、高さ規制部材の下端部で粉体の高さが効率よく規制される。
【００１０】
（２）高さ規制部材における帯状搬送部の螺旋の内側方向の側部は、螺旋の外側方向の側部よりも粉体の移動方向について下流側に位置してもよい。
【００１１】
粉体搬送路内を移動する粉体は、遠心力により螺旋の外側に偏りやすい。この場合でも、高さ規制部材における帯状搬送部の螺旋の内側方向の部分が螺旋の外側方向の部分よりも下流に位置するので、螺旋の外側方向の部分に偏った粉体は、高さ規制部材の一面に沿って螺旋の内側方向の部分に導かれる。これにより、高さ規制部材の下端部で粉体の高さが効率よく規制される。
【００１２】
（３）帯状搬送部における粉体との接触面は、螺旋の内側が螺旋の外側よりも低くなるように傾斜していてもよい。
【００１３】
この場合、帯状搬送部を移動する粉体には、重力により傾斜した上面に沿って内側に移動しようとする力が働くとともに、外側に移動しようとする力が働く。これにより、粉体が遠心力により粉体搬送路内の外側に偏ることが防止される。その結果、高さ規制部材の下端部で効率よく粉体の高さが規制される。
【００１４】
（４）粉体搬送路は、上下方向に螺旋状に延び、粉体が移動するための第１の帯状搬送部を有する第１の搬送路と、上下方向に螺旋状に延び、粉体が移動するための第２の帯状搬送部を有する第２の搬送路とを含み、第１および第２の帯状搬送部は、一端で互いに接続されるとともに、第２の帯状搬送部の螺旋の巻き方向は、第１の帯状搬送部の螺旋の巻き方向と逆であってもよい。
【００１５】
この場合、第１の帯状搬送部に沿って移動した粉体は、第１の帯状搬送部の一端を経て第２の帯状搬送部の一端に導かれる。その後、粉体は、第２の帯状搬送部に沿って移動する。第１の帯状搬送部の螺旋の巻き方向と第２の帯状搬送部の螺旋の巻き方向とが互いに逆であるので、振動付与部により同じ振動が付与されることにより第１の搬送路での粉体の移動方向と第２の搬送路での粉体の移動方向とが互いに逆になる。それにより、処理容器内で上下方向において粉体を往復移動させることができる。
【００１６】
したがって、粉体は、第１の帯状搬送部を移動するときのみでなく、第２の帯状搬送部を移動するときにも、処理ガスにより処理される。これにより、処理容器を大型化することなく粉体の処理時間を長くすることができる。その結果、粉体処理装置を小型化することができる。
【００１７】
（５）高さ規制部材は、等間隔に複数設けられていてもよい。この場合、第１の搬送路および第２の搬送路を移動する粉体の高さが複数の高さ規制部材により規制される。これにより、長時間にわたって粉体を処理ガスで均一に処理することができる。また、複数の高さ規制部材は等間隔に設けられる。これにより、粉体が偏ることがより解消される。その結果、粉体を処理ガスでより均一に処理することができる。
【００１８】
（６）帯状搬送部における粉体との接触面は、金属からなってもよい。この場合、帯状搬送部における粉体との接触面を通して粉体の熱を放出することができる。これにより、粉体をより均一に処理することができる。
【００１９】
（７）処理容器は、処理ガスの導入のためのガス導入部、および処理ガスの排出のためのガス排出部を有してもよい。
【００２０】
この場合、粉体処理装置に連続的に処理ガスを導入するとともに、連続的に処理ガスを排出することができる。それにより、処理ガスでの処理時における処理容器内の処理ガスの濃度をほぼ一定に保つことができる。その結果、粉体をより均一に処理することができる。
【００２１】
（８）処理ガスは、フッ素ガスを含んでもよい。この場合、粉体をフッ素ガスで処理することにより、粉体の表面にフッ素を付加して撥水性を付与することができる。また、酸素ガスおよびフッ素ガスを含む処理ガスが用いられる場合には、酸素ガスおよびフッ素ガスにより粉体の表面における分子末端の基が−ＣＦ＝Ｏになった後、加水分解されることによりカルボキシル基等の親水基となる。その結果、粉体の親水性が向上される。
【発明の効果】
【００２２】
本発明によれば、粉体を処理ガスで均一に処理することが可能となる。
【図面の簡単な説明】
【００２３】
【図１】第１の実施の形態に係る粉体処理装置の内部の構造を示す側面図である。
【図２】図１の上昇搬送路のＡ部の拡大断面図である。
【図３】図１の上昇搬送路のＢ部における一例を示す平面図である。
【図４】図１の上昇搬送路のＢ部における一例を示す拡大断面図である。
【図５】上昇搬送路において粉体が偏った状態を示す断面図である。
【図６】第２の実施の形態に係る粉体処理装置の内部の構造を示す側面図である。
【図７】第３の実施の形態に係る粉体処理装置の内部の構造を示す側面図である。
【発明を実施するための形態】
【００２４】
［１］第１の実施の形態
以下、第１の実施の形態に係る粉体処理装置について図面を参照しながら説明する。
【００２５】
（１）粉体処理装置の全体構成
図１は、第１の実施の形態に係る粉体処理装置の内部の構造を示す側面図である。図１に示すように、粉体処理装置１００は、処理容器１０、複数のばね３０、複数の振動モータ４０、軸５０および上昇搬送路６０を含む。処理容器１０は、下部筺体１０ａおよび上部筺体１０ｂにより構成される。
【００２６】
下部筺体１０ａは、４つの側面部、底面部および上面部を有する。下部筺体１０ａの上面部の一部は開口している。上部筺体１０ｂは、上面部および周面部からなる円筒状を有する。上部筺体１０ｂの底部は開口している。上部筺体１０ｂは、底部が下方向を向く状態で、上下方向に延びるように下部筺体１０ａの上面部に一体的に設けられる。下部筺体１０ａの内部空間と上部筺体１０ｂの内部空間とは互いに連通し、処理空間を形成する。
【００２７】
下部筺体１０ａの底面部の下面側には、複数のばね３０が設けられる。下部筺体１０ａの対向する２つの側面部には、それぞれ振動モータ４０が設けられる。処理容器１０の内部に上下方向に延びるように円柱状の中心軸５０が設けられる。また、処理容器１０の内部には、中心軸５０を中心に螺旋を描きながら上下方向に延びる上昇搬送路６０が設けられる。
【００２８】
上部筺体１０ｂの周面部の下部には、処理ガスを導入するためのガス導入部１が設けられる。また、上部筺体１０ｂの上面部には、処理ガスを排出するためのガス排出部２が設けられる。この場合、粉体処理装置１００の処理容器１０に連続的に処理ガスを導入するとともに、連続的に処理ガスを排出することができる。それにより、処理ガスでの処理時における処理容器１０内の処理ガスの濃度をほぼ一定に保つことができる。その結果、粉体をより均一に処理することができる。
【００２９】
下部筺体１０ａの１つの側面部の下部には、上昇搬送路６０に粉体を供給するための粉体供給部３が設けられる。上昇搬送路６０の一端（下端）は粉体供給部３に連通する。また、上部筺体１０ｂの周面部の上部には、上昇搬送路６０において処理された粉体を回収するための粉体回収部４が設けられる。上昇搬送路６０の他端（上端）は粉体回収部４に連通する。上昇搬送路６０への粉体の供給および上昇搬送路６０からの粉体の回収は、スクリューフィーダまたはガス輸送法により行われる。
【００３０】
上昇搬送路６０においては、複数の振動モータ４０が駆動されることにより、複数のばね３０が伸縮するとともに振動される。これにより、粉体供給部３から供給された粉体が、傾斜した螺旋状の上昇搬送路６０上を上昇するように滑りながら搬送される。振動モータ４０で上昇搬送路６０に上下変位を伴うねじり振動を加えられることにより、粉体が上昇搬送路６０に沿って上昇する。この螺旋状の上昇搬送路６０を上昇するように粉体を搬送する装置としては、いわゆるスパイラルエレベータが好ましく用いられる。
【００３１】
ガス導入部１から処理ガスが供給され、ガス排出部２から処理ガスが排出されることにより、粉体処理装置１００の処理容器１０の内部に処理ガスが流通する。供給された粉体は、上昇搬送路６０の下部から上部まで搬送されている間に処理ガスにより処理される。これにより、粉体の表面を処理ガスで処理することができる。処理ガスで処理された粉体は、粉体回収部４から回収される。粉体回収部４からの粉体の回収は、スクリューフィーダまたはガス輸送法により行われる。また、フッ素ガスを含む処理ガスは、ガス排出部２から排出され、図示しないガス処理設備にて無害化される。
【００３２】
本実施の形態において、処理ガスであるフッ素による処理は、粉体の表面に処理ガスを接触させて粉体の表面を改質する表面処理である。処理ガスとして、フッ素ガス、酸素ガスおよび窒素ガスを含む処理ガスを用いた場合には、粉体の表面の官能基に親水性の基を導入することにより親水性を付与することができる。また、粉体の表面にフッ素を付加することにより撥水性を付与することができる。処理ガスは、フッ素ガス、酸素ガスおよび窒素ガスに限定されず、処理の種類に応じて選択することができる。
【００３３】
（２）上昇搬送路の構成
図２は、図１の上昇搬送路６０のＡ部の拡大断面図である。図３は、図１の上昇搬送路６０のＢ部における一例を示す平面図である。図４は、図１の上昇搬送路６０のＢ部における一例を示す拡大断面図である。
【００３４】
図４に示すように、上昇搬送路６０は、上下方向に螺旋状に延びる帯状搬送部６１、およびその帯状搬送部６１の両側に沿って延びる側面部６２，６３を有する。帯状搬送部６１は、粉体と接触する上面（粉体接触面）６１ａを有する。側面部６２，６３は、帯状搬送部６１を移動する粉体の落下を防止するガイドである。
【００３５】
図２に示すように、上昇搬送路６０には、所定の間隔で四辺形の複数の高さ規制部材６４が設けられる。図４に示すように、高さ規制部材６４は、上昇搬送路６０の側面部６２，６３にそれぞれつながる側部６４ａ，６４ｂを有するとともに、帯状搬送部６１に対向する下端部６４ｃを有する。高さ規制部材６４の下端部６４ｃは、上昇搬送路６０の帯状搬送部６１と平行に配置される。下端部６４ｃと上昇搬送路６０の帯状搬送部６１との間に隙間Ｓが形成される。図３に示すように、高さ規制部材６４は、上昇搬送路６０における粉体の移動方向に関して上流側に位置する面６４ｄを有する。
【００３６】
上昇搬送路６０内を移動する粉体は、高さ規制部材６４の下端部６４ｃと上昇搬送路６０の帯状搬送部６１との間の隙間Ｓを通過する。ここで、上昇搬送路６０の帯状搬送部６１上の粉体が高さ規制部材６４の下端部６４ｃよりも高い位置まで盛り上がっている場合、高さ規制部材６４の下端部６４ｃで粉体の高さが規制される。
【００３７】
図３および図４に示すように、側面部６２および側部６４ａは、帯状搬送部６１に関して螺旋の内側に位置し、側面部６３および側部６４ｂは、帯状搬送部６１に関して螺旋の外側に位置する。面６４ｄは、側部６４ａ側の辺６４ｅおよび側部６４ｂ側の辺６４ｆを有する。この面６４ｄは、螺旋の接線方向に垂直な方向Ｗに関して辺６４ｅが辺６４ｆよりも下流側に位置するように傾斜している。図３においては、帯状搬送部６１上の矢印の向きが粉体の移動する向きであり、上流から下流への向きである。図３の例では、面６４ｄは、螺旋の接線方向に垂直な方向Ｗに対して傾き角度θを有する状態で設けられる。傾き角度θは０°よりも大きく９０°よりも小さい。
【００３８】
上昇搬送路６０内を移動する粉体は、遠心力により螺旋の外側に偏りやすい。この場合でも、高さ規制部材６４の内側の辺６４ｅが外側の辺６４ｆよりも下流に位置するように面６４ｄが傾斜しているので、辺６４ｆの側に偏った粉体は、高さ規制部材６４の面６４ｄに沿って辺６４ｅの側に導かれる。これにより、高さ規制部材６４の下端部６４ｃで効率よく粉体の高さが規制される。
【００３９】
なお、高さ規制部材６４の傾き角度θは、通過する粉体の高さを規制できる限り特に限定されない。
【００４０】
また、上昇搬送路６０には、高さ規制部材６４が複数設けられる。複数の高さ規制部材６４は、等間隔に設けられることが好ましい。これにより、粉体が偏ることがより解消される。その結果、粉体を処理ガスでより均一に処理することができる。
【００４１】
図５は、上昇搬送路６０において粉体が偏った状態を示す断面図である。図５の例では、上昇搬送路６０の帯状搬送部６１が水平に設けられている。この場合、粉体Ｐは、遠心力により上面６１ａの螺旋の外側に位置する部分に偏った状態で帯状搬送部６１上を搬送される。このように粉体Ｐが偏った状態では、上昇搬送路６０の側面部６３側の粉体Ｐは厚く積み重なっており、搬送中に粉体Ｐの内部に埋もれて表面に露出しない部分が存在する。本実施の形態においては、粉体が高さ規制部材６４の下部の隙間Ｓを通過する際に高さ規制部材６４が偏った粉体の高さを規制することにより、積み重なった粉体Ｐの内部に埋もれて表面に露出していない部分が表面に露出する。これにより、粉体の全体が処理ガスと接触する。その結果、粉体をより均一に処理ガスで処理することができる。
【００４２】
本実施の形態においては、図４に示すように、螺旋の内側に位置する上面６１ａの部分が螺旋の外側に位置する上面６１ａの部分よりも低くなるように上面６１ａが傾斜されてもよい。この場合、上昇搬送路６０内を移動する粉体には、重力により傾斜した上面６１ａに沿って内側に移動しようとする力が働くとともに、遠心力により外側に移動しようとする力が働く。したがって、粉体が遠心力により上昇搬送路６０内の外側に偏ることが緩和される。これにより、高さ規制部材６４の下端部６４ｃで効率よく粉体の高さが規制される。その結果、粉体の全体を処理ガスで均一に処理することができる。
【００４３】
本実施の形態において、図４に示すように、螺旋の内側に位置する上面６１ａの部分が螺旋の外側に位置する上面６１ａの部分よりも低くなるように傾斜されるが、これに限定されない。図５に示すように、上面６１ａは水平であってもよい。この場合でも、高さ規制部材６４により粉体の高さを規制することができる。
【００４４】
また、本実施の形態では、高さ規制部材６４は、その下端部６４ｃと帯状搬送部６１との間に隙間Ｓを設けた状態で設置された板状の部材である。この下端部６４ｃの形状は特に限定されず、直線状であってもよく、波状等であってもよい。下端部６４ｃが直線状である場合には、粉体を平滑化することができる。下端部６４ｃが波状である場合には、粉体の露出する面積を大きくして処理ガスとの接触面積を増加させることができる。
【００４５】
なお、処理ガスでの処理には、時間が大きく影響する。処理時間は、上昇搬送路６０における粉体の移動速度を変更することにより調整することができる。また、処理時間は、粉体の搬送距離を変更することにより調整することもできる。
【００４６】
本実施の形態では、粉体処理装置１００の処理容器１０内に処理ガスを流通させながら粉体を処理しているが、処理容器１０内に処理ガスを封入した状態で粉体を処理してもよい。
【００４７】
本実施の形態では、粉体処理装置１００は粉体を上方に搬送する上昇搬送路６０を有するが、粉体処理装置１００は上昇搬送路６０に代えて粉体を下方に搬送する下降搬送路を有してもよい。
【００４８】
（３）効果
本実施の形態においては、上昇搬送路６０内を移動する粉体が高さ規制部材６４と帯状搬送部６１との間の隙間Ｓを通過する際に、高さ規制部材６４により粉体の高さが規制される。この粉体の高さの規制により、積み重なった粉体の内部に埋もれた部分が表面に露出される。これにより、粉体の全体が処理ガスと接触する。その結果、粉体の全体を処理ガスで連続して均一に処理することができる。
【００４９】
また、粉体は、処理容器１０内で空中に散乱することなく上昇搬送路６０の帯状搬送部６１上を滑りながら搬送される。そのため、粉体の処理の際に発生する熱は、上昇搬送路６０の帯状搬送部６１および側面部６２，６３を通して放出される。これにより、粉体の表面が過加熱されることが防止される。その結果、熱による粉体の変質等が防止されるとともに、粉体の表面が焦げることが防止される。さらに、粉体の散乱および熱による粉体の粉塵爆発の発生を防止することができる。帯状搬送部６１における粉体との接触面は、金属からなることが好ましい。この場合、帯状搬送部６１における粉体との接触面を通して粉体の熱を放出することができる。これにより、粉体をより均一に処理することができる。
【００５０】
［２］第２の実施の形態
（１）粉体処理装置の全体構成
第２の実施の形態に係る粉体処理装置１００について、第１の実施の形態に係る粉体処理装置１００と異なる点を説明する。図６は、第２の実施の形態に係る粉体処理装置１００の内部の構造を示す側面図である。図６に示すように、本実施の形態に係る粉体処理装置１００は、下降搬送路７０をさらに含む。
【００５１】
下降搬送路７０は、処理容器１０の内部において、中心軸５０を中心に上昇搬送路６０の内側で螺旋状に延びるように上下方向に設けられる。上昇搬送路６０の上端と下降搬送路７０の上端とは互いに接続される。下降搬送路７０の螺旋の巻き方向は、上昇搬送路６０の螺旋の巻き方向と逆である。粉体回収部４は、上部筺体１０ｂの周面部の上部に設けられず、下部筺体１０ａの底面部に設けられる。下降搬送路７０の他端は、粉体回収部４に連通する。
【００５２】
下降搬送路７０は、螺旋の巻き方向を除いて図２〜図４の上昇搬送路６０と同じ構成を有する。下降搬送路７０には、上昇搬送路６０と同様に、複数の高さ規制部材６４が設けられる。
【００５３】
粉体供給部３から供給された粉体は、傾斜した螺旋状の上昇搬送路６０上を上昇するように滑りながら移動する。上昇搬送路６０に沿って移動した粉体は、上昇搬送路６０の上端を経て下降搬送路７０の上端に導かれる。その後、粉体は、下降搬送路７０に沿って下降するように滑りながら移動する。
【００５４】
上昇搬送路６０の螺旋の巻き方向と下降搬送路７０の螺旋の巻き方向とが互いに逆であるので、振動モータ４０により同じ振動が付与されることにより上昇搬送路６０での粉体の移動方向と下降搬送路７０での粉体の移動方向とが互いに逆になる。それにより、処理容器１０内で上下方向において粉体を往復移動させることができる。粉体は、往復移動中に処理ガスにより処理される。処理ガスで処理された粉体が粉体回収部４から回収される。
【００５５】
（２）効果
本実施の形態において、粉体は、上昇搬送路６０を移動するときのみでなく、下降搬送路７０を移動するときにも、処理ガスにより処理される。これにより、処理容器１０を大型化することなく粉体の処理時間を長くすることができる。その結果、粉体処理装置を小型化することができる。
【００５６】
また、上昇搬送路６０および下降搬送路７０には、高さ規制部材６４が設けられる。そのため、粉体は上昇搬送路６０を移動するときおよび下降搬送路７０を移動するときに高さ規制部材６４により高さを規制される。これにより、長時間にわたって粉体を処理ガスで均一に処理することができる。
【００５７】
［３］第３の実施の形態
図７は、第３の実施の形態に係る粉体処理装置１００の内部の構造を示す側面図である。図７に示すように、上昇搬送路６０が下降搬送路７０の内側に配置される。
【００５８】
一般に、重力のため、下降搬送路７０での粉体の移動速度は、上昇搬送路６０での粉体の移動速度より高い。図７の粉体処理装置１００においては、下降搬送路７０は上昇搬送路６０よりも長い。これにより、下降搬送路７０での粉体の移動速度を上昇搬送路６０での粉体の移動速度と略等しくすることができる。
【００５９】
［４］他の実施の形態
（１）第１の実施の形態に係る粉体処理装置１００において、粉体が上昇搬送路６０内を下端から上端に向かって移動するが、これに限定されない。粉体が上端から下端に向かって移動するように粉体搬送路を構成してもよい。
【００６０】
（２）第２および第３の実施の形態に係る粉体処理装置１００において、粉体が上昇搬送路６０内を下端から上端に向かって移動した後、下降搬送路７０内を上端から下端に向かって移動するが、これに限定されない。粉体が下降搬送路７０内を上端から下端に向かって移動した後、上昇搬送路６０内を下端から上端に向かって移動するように上昇搬送路６０および下降搬送路７０を接続してもよい。
【００６１】
（３）第２および第３の実施の形態に係る粉体処理装置１００において、下降搬送路７０の巻き数と上昇搬送路６０の巻き数とが等しいが、これに限定されない。下降搬送路７０の巻き数は上昇搬送路６０の巻き数よりも多くてもよい。この場合、下降搬送路７０の勾配が上昇搬送路６０の勾配よりも小さくなるとともに、下降搬送路７０の長さが上昇搬送路６０の長さよりも長くなる。これにより、下降搬送路７０での粉体の移動速度を上昇搬送路６０での粉体の移動速度と略等しくすることができる。
【００６２】
［５］請求項の各構成要素と実施の形態の各部との対応関係
以下、請求項の各構成要素と実施の形態の各部との対応の例について説明するが、本発明は下記の例に限定されない。
【００６３】
粉体処理装置１００が粉体処理装置の例であり、処理容器１０が処理容器の例であり、上昇搬送路６０および下降搬送路７０が粉体搬送路の例であり、上昇搬送路６０が第１の搬送路の例であり、下降搬送路７０が第２の搬送路の例である。ガス導入部１がガス導入部の例であり、ガス排出部２がガス排出部の例であり、粉体供給部３が粉体供給部の例であり、粉体回収部４が粉体回収部の例であり、振動モータ４０が振動付与部の例である。
【００６４】
高さ規制部材６４が高さ規制部材の例であり、下端部６４ｃが下端部の例である。帯状搬送部６１が帯状搬送部の例、または第１および第２の帯状搬送部の例である。上面６１ａが接触面の例であり、隙間Ｓが隙間の例である。
【００６５】
請求項の各構成要素として、請求項に記載されている構成または機能を有する他の種々の要素を用いることもできる。
【産業上の利用可能性】
【００６６】
本発明は、種々の処理ガスによる粉体の処理に有効に利用することができる。
【符号の説明】
【００６７】
１  ガス導入部
２  ガス排出部
３  粉体供給部
４  粉体回収部
１０  処理容器
１０ａ  下部筺体
１０ｂ  上部筺体
３０  ばね
４０  振動モータ
５０  中心軸
６０  上昇搬送路
６１  帯状搬送部
６１ａ  上面
６２，６３  側面部
６４  高さ規制部材
６４ａ，６４ｂ  側部
６４ｃ  下端部
６４ｄ  面
６４ｅ，６４ｆ  辺
７０  下降搬送路
１００  粉体処理装置
Ｐ  粉体
Ｓ  隙間
θ  傾き角度
【図１】
0005820198.tif 000002
【図２】
0005820198.tif 000003
【図３】
0005820198.tif 000004
【図４】
0005820198.tif 000005
【図５】
0005820198.tif 000006
【図６】
0005820198.tif 000007
【図７】
0005820198.tif 000008